(57)【要約】【課題】従来、ＰＴＰの多くが、指で押した時につぶれ易い合成樹脂容器にアルミ箔主体の蓋を接着して封止しているので、容器を指で押せば、内容物が蓋を押し、簡単に蓋が破れ、容易に内容物を取り出すことができる。しかし、簡単に蓋が破れるということが逆に欠点となるので、従来の内容物を保護できるＰＴＰでは、ＰＴＰを箱状体にし、またはＰＴＰに覆板やカバーを付けて蓋の穴開き防止という目的を達していたがコストが高くなった。本発明は上記の課題を解決する内容物保護包装体を提供する。【解決手段】例えばＰＴＰにミシン目や貫通しない切り込み線などの折り畳み線を入れておき、必要時には、蓋が内側になるように折り曲げ、折り畳み線から離れた端部付近に設けた係合用切り込み線に、他端、もしくは他端付近に設けた差し込み片を差し込み係止することで、脆弱な蓋を保護するという目的を達することを特徴とするものである。【選択図】図１
2011042392.tif 000002
【特許請求の範囲】
【請求項１】
プレススルーパックに折り畳み線を入れておき、必要に応じ蓋が内側になるように折り曲げ、折り畳み線から離れた端部付近に設けた係合用切り込み線に、他端を差し込み脆弱な蓋を保護することを特徴とする内容物保護包装体。
【請求項２】
他端を他端付近に設けた差し込み片としたことを特徴とする請求項１記載の内容物保護包装体。
【請求項３】
集積することを特徴とする請求項１、２記載の内容物保護包装体。
【発明の詳細な説明】
【技術分野】
【０００１】
本発明は、例えばプレススルーパック（ＰＴＰ）入りの錠剤やカプセルなどを持ち歩く時に、内容物を簡単に保護できる内容物保護包装体に関する。
【背景技術】
【０００２】
以下、従来の内容物を保護できるＰＴＰについて説明する。従来、食品や医薬品等の錠剤やカプセル状の品の包装には、ＰＴＰがよく用いられる。これはＰＴＰの多くが、指で押した時につぶれ易い合成樹脂容器に、アルミ箔主体の蓋を接着して封止しているので、容器を指で押せば、内容物が蓋を押し、簡単に蓋が破れ、容易に内容物を取り出すことができるからである。
【０００３】
しかし、簡単に蓋が破れるという長所が、逆に必要の無い時に簡単に穴が開くという欠点となる。例えば、少数のＰＴＰ包装物品とか、必要分だけを切り離したＰＴＰ包装物品をポケットやバッグに入れて持ち歩くと、ポケットやバッグの内側とＰＴＰ包装物品の蓋が擦れ、あるいはポケットやバッグ内の物品とＰＴＰ包装物品の蓋が擦れて簡単に穴が開いてしまう。そしてその穴を通して湿気やほこりなどが浸入し、内容物の劣化につながるし不衛生である。そこで、内容物保護の為、下記文献１ではＰＴＰを箱状体にし、文献２では覆板を付け、文献3ではカバーを付けて蓋の穴開き防止という目的を達していた。
【先行技術文献】
【特許文献】
【０００４】
【特許文献１】実公昭４４−０１７０３１号公報
【０００５】
【特許文献２】実公昭４４−０２９５９３号公報
【０００６】
【特許文献３】実公昭５０−０２１００９号公報
【発明の概要】
【発明が解決しようとする課題】
【０００７】
従来の内容物を保護できるＰＴＰについて、文献１ではＰＴＰを箱状体にし、文献２では覆板を付け、文献3ではカバーを付けるのでコストが高くなるという問題点がある。
【０００８】
本発明は、上記のような問題点を解決することを課題とするものであって、その目的は即ち、ＰＴＰの脆弱部と切り込みを工夫する事により、簡単な構造でコストの上昇を抑え、容器内部が保護できる内容物保護包装体を提供することにある。
【課題を解決するための手段】
【０００９】
上記目的を達成するために、本発明に係る内容物保護包装体は、ＰＴＰに例えばミシン目や貫通しない切り込み線などで折り畳み線を入れておき、必要に応じ脆弱な蓋が内側になるように折り曲げ、折り畳み線から離れた端部付近に設けた係合用切り込み線に、他方の対応端部、もしくは他端付近に設けた対応差し込み片を差し込み、脆弱な蓋を保護することで目的を達する。なお、係合用切り込み線は他方の対応端部が係合し易く形成する。例えば他方の対応端部の形状がフラットであれば、係合用切り込み線は折り畳み線側に膨らんだ形状とする。また、ＰＴＰ包装物品は消費者に渡る以前から折り曲げ、差し込んであってもよい。
【００１０】
第一の実施例として、ＰＴＰ包装物品が朝夕各一錠五日分用医薬品の例で説明すれば、錠剤は二列五行のＰＴＰ内に包装してある。錠剤の行間には簡単に切り離すための構造、
この例ではミシン目や貫通しない切り込み線などで切り離し用脆弱部を設けている。行片
側端部付近に係合用切り込み線を付け係合片としている。列間は最近では誤飲防止のため敢えて切り離し用脆弱部を設けていないので、ここに蓋が内側になるように折り曲げる事のできる、例えばミシン目や貫通しない切り込み線などで折り畳み線を入れる。折り畳むときは係合用切り込み線に行他方の対応端部を差し込む。手でＰＴＰを折り曲げる時は、ＰＴＰを蓋が内側になるように折り曲げ、係合片側の端部を軽く容器側にしならせ係合片を浮かせ、行他方の対応端部を係止する。
【００１１】
係合片の係合用切り込み線の形は図では弧状であるが、係止できれば弧状にこだわらない。行他方の対応端部の形状も係止できれば形状にこだわらない。例えば行他方の対応端部の差し込み部を、係合用切り込み線に係合できる様に突出した形状とする事もできる。またＰＴＰ包装物品を複数行で保持し折り曲げて係止する時は列の両端のみを係止しても良い。
【００１２】
第二の実施例は、第一の実施例に対し行両側の端部付近に係合用切り込み線と、向きが逆の差し込み用切り込み線を設け各々係合片と差し込み片としている。折り曲げ時、係合片と差し込み片を蓋側に浮かせ、差し込み片を係合片の下に差込み係止する。
【００１３】
ＰＴＰ包装物品の列が多い時、例えば４列ある時の実施例は図５、３列ある時の実施例は図６のように内側に係合片を設け、外側列を外側から２番目の列に折り曲げればよい。
【発明の効果】
【００１４】
以上説明したように、本発明に係る内容物保護包装体は、ＰＴＰに例えばミシン目や貫通しない切り込み線などで折り畳み線を入れておき、必要時には、蓋が内側になるように折り曲げ、折り畳み線から離れた端部付近に設けた係合用切り込み線に、行他方の対応端部、もしくは行他端付近に設けた対応差し込み片を差し込み脆弱な蓋を保護することで、内部が保護できる内容物保護包装体を提供する事で目的を達する。
【図面の簡単な説明】
【００１５】
【図１】内容物保護包装体の第一の実施例の斜め正面図
【図２】図１の例を折り畳み線で折り曲げ、係合用切り込み線に行他端を差し込んだ例の列側側面図
【図３】内容物保護包装体の第二の実施例の斜め正面図
【図４】図３の例を折り畳み線で折り曲げ、係合片の下に行他端付近に設けた差し込み片を差し込んだ例の列側側面図
【図５】ＰＴＰ包装物品の列が４列ある時の実施例の斜め正面図
【図６】ＰＴＰ包装物品の列が３列ある時の実施例の斜め正面図
【発明を実施するための形態】
【００１６】
以下に本発明の実施形態を、図面を参照しながら具体的に説明するがこの実施形態に限定されるものではない。図１は本発明に係る内容物保護包装体１で、第一の実施例の斜め正面図である。
【００１７】
内容物保護包装体１には容器本体２に蓋３が接着してあり、係合用切り込み線４１が切り込んであり係合片４２としている。この時蓋３が十分脆弱であり容易に係合片４２を浮かす事ができれば、蓋３にまで切り込みを入れる必要は無い。容器本体２には内容物収納部２１が設けてあり、ミシン目や貫通しない切り込み線などの切り離し用脆弱部２２と、ミシン目や貫通しない切り込み線などの折り畳み線２３が設けてある。
【００１８】
図２は図１の例を折り畳み線２３で折り曲げ、浮かせた係合片４２の下に行他端を差し込んだ例の列側側面図である。係合片４２を浮かせ、行他端を差し込み係止し、脆弱な蓋３を保護することで容器内部が保護できる。
【００１９】
図３は第二の実施例の斜め正面図であり、図１の第一の実施例に差し込み用切り込み線４３と差し込み片４４を加えてある。
【００２０】
図４は図３の例を折り畳み線２３で折り曲げ、浮かせた係合片４２の下に差し込み片４４を差し込んだ例の列側側面図である。係合片４２と差し込み片４４を浮かせて、係合片４２の下に差し込み片４４を差し込み係止し、脆弱な蓋３を保護することで容器内部が保護できる。
【００２１】
図５、図６は図１の例の列を増加させたもので、列が４列ないし３列ある時の実施例である。行内側に係合片４２を設け、外側列を外側から２番目の列に折り曲げれば脆弱な蓋３を保護することができる。同様に図３の例の列を増加させることもできる。また、持ち歩きに多少かさばるが、列側切り離し用脆弱部は無くすこともできる。
【００２２】
この例で図は略すが、列側切り離し用脆弱部は無くし、列側ほぼ中央に折り畳み線を設け、折り畳み線から離れた端部付近に設けた係合用切り込み線に、他端、もしくは他端付近に設けた差し込み片を差し込み係止することも考えられる。
【符号の説明】
【００２３】
１    内容物保護包装体
２    容器本体
２１  内容物収納部
２２  切り離し用脆弱部
２３  折り畳み線
３    蓋
４    端部
４１  係合用切り込み線
４２  係合片
４３  差し込み用切り込み線
４４  差し込み片
【図１】
2011042392.tif 000003
【図２】
2011042392.tif 000004
【図３】
2011042392.tif 000005
【図４】
2011042392.tif 000006
【図５】
2011042392.tif 000007
【図６】
2011042392.tif 000008